(57)【要約】【課題】情報記録媒体を容易に検査できる検査方法を提供する。【解決手段】一つの実施の形態に係る情報記録媒体の検査方法は、第１の情報が記録された第１の層と、前記第１の情報を覆い、前記第１の情報に吸収される第１の波長の光を透過し、第２の波長の光を反射又は吸収する、第２の層と、を有する情報記録媒体に、前記第１の波長の光を含む光を照射し、前記第１の波長の光を受光して前記情報記録媒体を撮影し、前記情報記録媒体に前記第２の波長の光を含む光を照射し、前記第２の波長の光を受光して前記情報記録媒体を撮影する。【選択図】図４
2015176614.tif 000002
【特許請求の範囲】
【請求項１】
第１の情報が記録された第１の層と、前記第１の情報を覆い、前記第１の情報に吸収される第１の波長の光を透過し、第２の波長の光を反射又は吸収する、第２の層と、を有する情報記録媒体に、前記第１の波長の光を含む光を照射し、
前記第１の波長の光を受光して前記情報記録媒体を撮影し、
前記情報記録媒体に前記第２の波長の光を含む光を照射し、
前記第２の波長の光を受光して前記情報記録媒体を撮影する、
情報記録媒体の検査方法。
【請求項２】
第１の情報が記録された第１の層と、
前記第１の情報を覆い、前記第１の情報に吸収される第１の波長の光を透過し、第２の波長の光を反射又は吸収する、第２の層と、
を具備する情報記録媒体。
【請求項３】
前記第１の情報と組み合わされて情報を形成する第２の情報、を形成するとともに前記第１の情報を覆う第３の層、をさらに具備する請求項２の情報記録媒体。
【請求項４】
前記第１の層は、第３の波長のレーザ光を吸収することで発色し、
前記第１の情報は、レーザエングレービングによって記録され、
前記第２の層は、前記第３の波長の光を透過する、
請求項３の情報記録媒体。
【請求項５】
前記第２の情報の少なくとも一部は、前記第１の波長の光を透過する、請求項４の情報記録媒体。
【請求項６】
前記第２の情報の一部は、前記第１の波長の光を吸収する、請求項５の情報記録媒体。
【請求項７】
前記第２の層は、前記第１の層と前記第３の層との間に位置する、請求項５の情報記録媒体。
【発明の詳細な説明】
【技術分野】
【０００１】
本発明の実施形態は、情報記録媒体の検査方法及び情報記録媒体に関する。
【背景技術】
【０００２】
ＩＤカードのような種々の情報記録媒体は、例えば、偽造品を製造されたり、写真や氏名のような情報を書き換える変造がされたりするおそれがある。このような偽変造を防止するため、情報記録媒体に記録される情報が、複数の方式で記録されることがある。
【先行技術文献】
【特許文献】
【０００３】
【特許文献１】特許第４７１５１６０号公報
【発明の概要】
【発明が解決しようとする課題】
【０００４】
情報記録媒体の真偽の検査は、当該情報記録媒体の破壊のような作業を伴わずに、容易に行われることが要求される。
【０００５】
本発明が解決する課題の一例は、情報記録媒体を容易に検査できる検査方法を提供すること、及び容易に検査できる情報記録媒体を提供すること、である。
【課題を解決するための手段】
【０００６】
一つの実施の形態に係る情報記録媒体の検査方法は、第１の情報が記録された第１の層と、前記第１の情報を覆い、前記第１の情報に吸収される第１の波長の光を透過し、第２の波長の光を反射又は吸収する、第２の層と、を有する情報記録媒体に、前記第１の波長の光を含む光を照射し、前記第１の波長の光を受光して前記情報記録媒体を撮影し、前記情報記録媒体に前記第２の波長の光を含む光を照射し、前記第２の波長の光を受光して前記情報記録媒体を撮影する。
【図面の簡単な説明】
【０００７】
【図１】図１は、第１の実施の形態に係るＩＤカードを示す平面図である。
【図２】図２は、第１の実施形態のＩＤカードの断面図である。
【図３】図３は、第１の実施形態のＩＤカードの製造装置を示す図である。
【図４】図４は、第１の実施形態のＩＤカードの検査装置を示す図である。
【図５】図５は、第１の実施形態のＩＤカードの検査方法を示すフローチャートである。
【図６】図６は、第１の実施形態の真正品であるＩＤカードの画像データを示す図である。
【図７】図７は、比較例としての偽変造品であるＩＤカードの断面図である。
【図８】図８は、比較例としてのプロセスカラーインクを用いたＩＤカードの画像データを示す図である。
【図９】図９は、比較例としてのカーボンインクを用いたＩＤカードの画像データを示す図である。
【図１０】図１０は、第２の実施の形態に係る真正品であるＩＤカードの画像データを示す図である。
【図１１】図１１は、第３の実施の形態に係るＩＤカードの検査装置を示す図である。
【発明を実施するための形態】
【０００８】
以下に、第１の実施の形態について、図１乃至図９を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施の形態に係るＩＤカード１０Ａを示す平面図である。ＩＤカード１０Ａは、例えば運転免許証であり、情報記録媒体の一例である。情報記録媒体はこれに限らず、パスポート又はビザ（査証）のような他の情報記録媒体であっても良い。
【００１０】
ＩＤカード１０Ａの表面１１に、情報１２が記録される。情報１２は、例えば、顔写真１５及び文字情報１６を有する。顔写真１５は、ＩＤカード１０Ａの所有者を示すカラー画像である。文字情報１６は、ＩＤカード１０Ａの所有者の固有情報を示す、例えば黒色の文字情報である。
【００１１】
図２は、図１のＦ２−Ｆ２線に沿って示すＩＤカード１０Ａの断面図である。図２に示すように、ＩＤカード１０Ａは、基材２１と、発色層２２と、反射フィルム２３とを有する。発色層２２は、第１の層の一例である。反射フィルム２３は、第２の層の一例である。発色層２２及び反射フィルム２３は、例えば、媒体、部材、又は部分とも称され得る。
【００１２】
基材２１は、例えばポリカーボネートによって形成される、ＩＤカード１０Ａの台紙である。なお、基材２１はこれに限らず、例えば、ポリエチレンテレフタラート、ポリアクリル、及びポリ酢酸ビニルのようなプラスティック、又は紙のような他の材料によって形成されても良い。
【００１３】
基材２１は、第１の面２１ａと、第２の面２１ｂとを有する。第１の面２１ａは、ＩＤカード１０Ａの背面を形成する。言い換えると、第１の面２１ａは、ＩＤカード１０Ａの表面１１の反対側に位置する。第２の面２１ｂは、第１の面２１ａの反対側に位置する。
【００１４】
発色層２２は、レーザ光を吸収して発色する材料（以下、レーザ発色材料と称する）を含むポリカーボネートによって形成される。なお、発色層２２はこれに限らず、レーザ発色材料を含むポリエチレンテレフタラート、ポリアクリル、及びポリ酢酸ビニルのような他の材料によって形成されても良い。
【００１５】
発色層２２は、基材２１の第２の面２１ｂを覆う。発色層２２は、第１の面２２ａと、第２の面２２ｂとを有する。第１の面２２ａは、基材２１の第２の面２１ｂに固着される。第２の面２２ｂは、第１の面２２ａの反対側に位置する。
【００１６】
発色層２２の第２の面２２ｂに、モノクロ画像ＦＭが形成される。モノクロ画像ＦＭは、第１の情報の一例であり、例えば、画像又は部分とも称され得る。モノクロ画像ＦＭは、レーザエングレービング方式によって発色層２２の第２の面２２ｂに記録される。
【００１７】
モノクロ画像ＦＭは、情報１２を、例えば、シアン（Ｃ）、マゼンタ（Ｍ）、イエロー（Ｙ）、及びブラック（Ｋ）成分に分解した場合における、Ｋ成分のみを含む画像である。言い換えると、モノクロ画像ＦＭは、情報１２の一部である。本実施形態において、顔写真１５は、Ｃ、Ｍ、Ｙ、及びＫ成分を有し、文字情報１６は、Ｋ成分のみを有する。このため、モノクロ画像ＦＭは、顔写真１５の一部と、文字情報１６とを形成する。
【００１８】
レーザエングレービング方式は、レーザ発色材料にレーザ光を照射することにより、画像を形成する方法である。レーザエングレービング方式は、一般的に、例えばインクジェット方式よりも高い解像度の画像を形成できる。レーザ発色材料が発色する色は、主に黒色である。
【００１９】
反射フィルム２３は、所定の波長（反射ピーク）に近い波長の光を反射し、当該反射ピークと異なる波長の光を透過する。本実施形態において、前記反射ピークは、赤外帯域に含まれる。反射フィルム２３は、可視光を透過する。このため、モノクロ画像ＦＭは、肉眼によって反射フィルム２３を通して視認され得る。
【００２０】
反射フィルム２３は、発色層２２の第２の面２２ｂを覆う。このため、反射フィルム２３は、モノクロ画像ＦＭを覆う。なお、反射フィルム２３は、モノクロ画像ＦＭを部分的に覆っても良い。
【００２１】
反射フィルム２３は、第１の面２３ａと、第２の面２３ｂとを有する。第１の面２３ａは、発色層２２の第２の面２２ｂに固着する。第２の面２３ｂは、第１の面２３ａの反対側に位置するとともに、ＩＤカード１０Ａの表面１１を形成する。
【００２２】
反射フィルム２３の第２の面２３ｂに、カラー画像ＦＣが形成される。カラー画像ＦＣは、第２の情報及び第３の層の一例であり、例えば、画像又は部分とも称され得る。反射フィルム２３は、カラー画像ＦＣと発色層２２との間に位置する。
【００２３】
カラー画像ＦＣは、例えばインクジェット方式によって印刷層２４の第２の面２４ｂに形成されたインクの層である。なお、カラー画像ＦＣは、例えば熱転写方式のような他の方式によって形成されても良いし、印刷層２４の第２の面２４ｂに形成されても良い。
【００２４】
カラー画像ＦＣは、情報１２を、例えば、Ｃ、Ｍ、Ｙ、及びＫ成分に分解した場合における、Ｃ、Ｍ、及びＹ成分を含む画像である。言い換えると、カラー画像ＦＣは、情報１２の一部である。カラー画像ＦＣは、顔写真１５の一部を形成する。
【００２５】
カラー画像ＦＣは、例えばプロセスカラー（ＣＭＹ）インクによって形成される。なお、カラー画像ＦＣを形成するインクはこれに限らない。カラー画像ＦＣを形成するインクは、赤外帯域の波長の光（赤外線）を透過させる。
【００２６】
ＩＤカード１０Ａは、さらに、オーバーコート層やセキュリティ情報を有しても良い。上記オーバーコート層は、反射フィルム２３の第２の面２３ｂを覆い、カラー画像ＦＣを保護する。上記セキュリティ情報は、例えばホログラムラベルや蛍光インクであり、例えば反射フィルム２３の第２の面２３ｂに設けられる。
【００２７】
以下、図３を参考に、ＩＤカード１０Ａの製造方法の一部について例示する。なお、ＩＤカード１０Ａの製造方法は以下の方法に限らず、他の方法を用いても良い。図３は、ＩＤカード１０Ａの製造装置３０を概略的に示す図である。
【００２８】
製造装置３０は、画像処理部３１と、インクジェット印刷部３２と、レーザエングレービング部３３と、搬送部３４と、を有する。画像処理部３１は、例えば、制御部のようにも称され得る。インクジェット印刷部３２及びレーザエングレービング部３３は、例えば、記録部、印刷部、又は画像形成部のようにも称され得る。
【００２９】
画像処理部３１に、ＩＤカード１０Ａに印刷される情報１２のデータが入力される。画像処理部３１は、情報１２のデータを、モノクロ画像ＦＭのデータと、カラー画像ＦＣのデータとに分割する。
【００３０】
具体的には、画像処理部３１は、画像情報ＤＣを、例えば誤差拡散法により、シアン（Ｃ）、マゼンタ（Ｍ）、イエロー（Ｙ）、及びブラック（Ｋ）の各色成分に分解する。例えば、画像処理部３１は、情報１２の画素（ドット）毎にＣ、Ｍ、及びＹ成分の値を算出する。画像処理部３１は、当該Ｃ、Ｍ、及びＹ成分の最低値をＫ成分の数値とする。さらに、画像処理部３１は、Ｃ、Ｍ、及びＹ成分の数値からＫ成分の数値を減算し、Ｃ、Ｍ、Ｙ成分の数値とする。このように、画像処理部３１は、ドット毎のＣ、Ｍ、Ｙ、及びＫ成分の数値を算出する。
【００３１】
画像処理部３１は、誤差拡散法と異なる他の方法により情報１２のデータを分解しても良い。また、画像処理部３１は、情報１２のデータを、他の色成分（例えば、ライトシアン、ライトマゼンタ、白色、及び蛍光色）を含む複数の色成分に分解しても良い。
【００３２】
画像処理部３１は、情報１２のＫ成分から、モノクロ画像ＦＭのデータを生成する。さらに、画像処理部３１は、情報１２のＣ、Ｍ、及びＹ成分から、カラー画像ＦＣのデータを生成する。
【００３３】
モノクロ画像ＦＭとカラー画像ＦＣとは、合成される（組み合わされる）ことで、元の情報１２を形成する。なお、画像処理部３１は、情報１２のデータを、色毎に三つ以上のデータに分割しても良いし、位置（座標）毎に分割しても良い。
【００３４】
画像処理部３１は、モノクロ画像ＦＭのデータを、レーザエングレービング部３３に入力する。さらに、画像処理部３１は、カラー画像ＦＣのデータを、インクジェット印刷部３２に入力する。なお、インクジェット印刷部３２及びレーザエングレービング部３３がそれぞれ、情報１２のデータからモノクロ画像ＦＭ及びカラー画像ＦＣのデータを生成しても良い。
【００３５】
インクジェット印刷部３２は、第１の記憶部４１と、インクジェットヘッド４２とを有する。第１の記憶部４１は、画像処理部３１から入力されたカラー画像ＦＣのデータを記憶する。インクジェットヘッド４２は、第１の記憶部４１に記憶されたカラー画像ＦＣのデータを取得する。
【００３６】
搬送部３４は、情報１２が記録される前のＩＤカード１０Ａ（ブランクカード）を、インクジェットヘッド４２の直下に搬送する。搬送部３４は、例えば、ローラ搬送やベルト搬送によってＩＤカード１０Ａを搬送する。
【００３７】
インクジェットヘッド４２は、ＩＤカード１０Ａに、インクジェット方式によって、カラー画像ＦＣを印刷する。インクジェットヘッド４２は、インクジェットヘッド４２に面するＩＤカード１０Ａの表面１１（反射フィルム２３の第２の面２３ｂ）に向かって、Ｃ、Ｍ、及びＹのインクを吐出する。これにより、インクジェットヘッド４２は、ＩＤカード１０Ａの表面１１に、Ｃ、Ｍ、及びＹ成分のドットを形成する。当該ドットによって、カラー画像ＦＣが形成される。
【００３８】
レーザエングレービング部３３は、第２の記憶部４５と、レーザ照射部４６とを有する。第２の記憶部４５は、画像処理部３１から入力されたモノクロ画像ＦＭのデータを記憶する。レーザ照射部４６は、第２の記憶部４５に記憶されたモノクロ画像ＦＭのデータに基づき、レーザエングレービング方式でＩＤカード１０Ａにモノクロ画像ＦＭを記録する。
【００３９】
レーザ照射部４６は、例えば、波長が９００ｎｍ〜１６００ｎｍのＹＡＧレーザ又はダイオードレーザを用いる。なお、レーザ照射部４６は、他のレーザを用いても良い。レーザ照射部４６は、例えば波長が１０６４ｎｍであるレーザ光を、ＩＤカード１０Ａの表面（印刷層２４の第２の面２４ｂ）に向かって照射する。１０６４ｎｍの波長は、第３の波長の一例である。
【００４０】
レーザ照射部４６が照射するレーザ光は、カラー画像ＦＣと反射フィルム２３とを透過し、発色層２２の第２の面２２ｂに吸収される。すなわち、反射フィルム２３の前記反射ピークは、１０６４ｎｍと異なる波長である。発色層２２のレーザ光が照射された部分は、例えば黒色を発色する。レーザ照射部４６は、発色層２２にレーザ光を照射することによって、Ｋ成分のドットを形成する。当該Ｋ成分のドットによって、モノクロ画像ＦＭが形成される。
【００４１】
発色層２２に形成されたモノクロ画像ＦＭと、反射フィルム２３に形成されたカラー画像ＦＣとは、組み合わされて情報１２を形成する。顔写真１５が形成される位置において、反射フィルム２３に形成されたカラー画像ＦＣは、発色層２２に形成されたモノクロ画像ＦＭを覆う。モノクロ画像ＦＭ及びカラー画像ＦＣは、重ね合わされ、Ｃ、Ｍ、Ｙ、及びＫ成分を有する顔写真１５を形成する。
【００４２】
レーザエングレービング部３３がモノクロ画像ＦＭを形成する際、ＩＤカード１０Ａの位置合わせが行われる。当該位置合わせは、例えば、ステージ又はテーブルによって行われても良いし、ＩＤカード１０Ａに設けられたマークを検知することによって行われても良い。
【００４３】
上述のように情報１２が形成されたＩＤカード１０Ａは、搬送部３４によって搬送される。ＩＤカード１０Ａは、製造装置３０の外に搬出され、交付される。
【００４４】
以下、図４乃至図９を参考に、ＩＤカード１０Ａの検査方法の一部について例示する。なお、ＩＤカード１０Ａの検査方法は以下の方法に限らず、他の方法が用いられても良い。図４は、ＩＤカード１０Ａの検査装置５０を概略的に示す図である。
【００４５】
検査装置５０は、制御部５１と、光源５２と、撮像装置５３と、第１のバンドパスフィルタ５４と、第２のバンドパスフィルタ５５とを有する。検査装置５０は、例えばパーソナルコンピュータに種々の機器を接続した装置であっても良いし、単一の装置であっても良い。
【００４６】
光源５２は、赤外帯域を含む広帯域の波長の光を発する。光源５２は、例えばハロゲンランプである。なお、光源５２はこれに限らず、例えば、ＬＥＤのような他の光源であっても良い。
【００４７】
撮像装置５３は、例えば、赤外線を受光して撮像が可能な（赤外帯域に感度を有する）撮像素子を有するカメラである。撮像装置５３は、撮影した画像のデータを、制御部５１に入力する。
【００４８】
第１のバンドパスフィルタ５４は、撮像装置５３に取り付けられる。第１のバンドパスフィルタ５４は、赤外帯域にある第１の波長の光Ｒ１を透過し、当該第１の波長と異なる波長の光を遮断する。なお、第１のバンドパスフィルタ５４は、第１の波長に近い波長の光を通しても良い。
【００４９】
第２のバンドパスフィルタ５５は、第１のバンドパスフィルタ５４と交換され、撮像装置５３に取り付けられる。第２のバンドパスフィルタ５５は、赤外帯域にある第２の波長の光Ｒ２を透過し、当該第２の波長と異なる波長の光を遮断する。なお、第２のバンドパスフィルタ５５は、第２の波長に近い波長の光を通しても良い。
【００５０】
第２の波長は、第１の波長よりも長い。さらに、第２の波長は、ＩＤカード１０Ａの発色層２２にモノクロ画像ＦＭを形成するレーザ光の波長である１０６４ｎｍよりも長い。なお、第２の波長はこれに限らず、例えば、第１の波長より短くても良い。
【００５１】
制御部５１は、記憶部５７と、比較部５８と、出力制御部５９とを有する。記憶部５７は、撮像装置５３から制御部５１に入力された画像データを記憶する。比較部５８は、記憶部５７に記憶された複数の画像データを比較する。出力制御部５９は、比較部５８における比較結果を、制御部５１に接続される出力部６１に出力する。出力部６１は、検査装置５０に設けられても良いし、検査装置５０に接続される外部機器であっても良い。
【００５２】
図５は、ＩＤカード１０Ａの検査方法の一例を示すフローチャートである。まず、図５に示すように、撮像装置５３に、第１のバンドパスフィルタ５４が取り付けられる（ステップＳ１１）。この際、撮像装置５３に第２のバンドパスフィルタ５５が取り付けられている場合は、当該第２のバンドパスフィルタ５５が取り外される。
【００５３】
次に、光源５２が、検査対象であるＩＤカード１０Ａに向かって光を照射する（ステップＳ１２）。図４に示すように、光源５２が発する光には、第１の波長の光Ｒ１と、第２の波長の光Ｒ２とが含まれる。なお、光源５２が第１の波長の光Ｒ１のみを発しても良い。
【００５４】
検査対象であるＩＤカード１０Ａが真正品である場合、第１の波長の光Ｒ１は、カラー画像ＦＣ及び反射フィルム２３を透過する。言い換えると、反射フィルム２３の前記反射ピークは、第１の波長と異なる。第１の波長の光Ｒ１は、レーザエングレービング方式によって形成されたモノクロ画像ＦＭに吸収される。
【００５５】
次に、撮像装置５３が、光源５２に照らされたＩＤカード１０Ａを撮影する（ステップＳ１３）。撮像装置５３は、第１のバンドパスフィルタ５４を透過する第１の波長の光Ｒ１を受光して、ＩＤカード１０Ａを撮影する。撮像装置５３は、撮影したＩＤカード１０Ａの画像のデータを、制御部５１に入力する。
【００５６】
次に、第１のバンドパスフィルタ５４が、撮像装置５３から取り外される。そして、第２のバンドパスフィルタ５５が、撮像装置５３に取り付けられる（ステップＳ１４）。なお、例えば回転機構によって、第１のバンドパスフィルタ５４の位置と第２のバンドパスフィルタ５５の位置とが入れ替えられても良い。
【００５７】
次に、光源５２が、検査対象であるＩＤカード１０Ａに向かって光を照射する（ステップＳ１５）。上述のように、光源５２が発する光には、第１の波長の光Ｒ１と、第２の波長の光Ｒ２とが含まれる。
【００５８】
検査対象であるＩＤカード１０Ａが真正品である場合、第２の波長の光Ｒ２は、カラー画像ＦＣを透過する。一方、第２の波長の光Ｒ２は、反射フィルム２３に反射される。言い換えると、反射フィルム２３の前記反射ピークは、第２の波長とほぼ等しい。
【００５９】
次に、撮像装置５３が、光源５２に照らされたＩＤカード１０Ａを撮影する（ステップＳ１６）。撮像装置５３は、第２のバンドパスフィルタ５５を透過する第２の波長の光Ｒ２を受光して、ＩＤカード１０Ａを撮影する。撮像装置５３は、撮影したＩＤカード１０Ａの画像のデータを、制御部５１に入力する。
【００６０】
図６は、ＩＤカード１０Ａが真正品である場合の、撮像装置５３が撮影したＩＤカード１０Ａの画像のデータを示す図である。図６に示すように、制御部５１の記憶部５７に、第１の画像データＤ１と、第２の画像データＤ２とが記憶される。
【００６１】
第１の画像データＤ１は、第１のバンドパスフィルタ５４が取り付けられた撮像装置５３が撮影したＩＤカード１０Ａの画像のデータである。第２の画像データＤ２は、第２のバンドパスフィルタ５５が取り付けられた撮像装置５３が撮影したＩＤカード１０Ａの画像のデータである。
【００６２】
比較部５８は、記憶部５７から、第１の画像データＤ１と第２の画像データＤ２とを取得する。比較部５８は、第１の画像データＤ１と第２の画像データＤ２とを比較する（ステップＳ１７）。
【００６３】
ＩＤカード１０Ａが真正品である場合、第１の波長の光Ｒ１はカラー画像ＦＣを透過し、モノクロ画像ＦＭに吸収される。このため、第１の画像データＤ１は、モノクロ画像ＦＭを表示するとともに、カラー画像ＦＣが消失又は薄く表示される画像である。すなわち、第１の画像データＤ１は、モノクロ画像ＦＭとほぼ等しい。言い換えると、第１の画像データＤ１は、情報１２からカラー画像ＦＣを除いた画像とほぼ等しい。第１の画像データＤ１は、モノクロ画像ＦＭによって形成される顔画像１５の一部（Ｋ成分）と、文字情報１６とを表示する。
【００６４】
ＩＤカード１０Ａが真正品である場合、第２の波長の光Ｒ２は、カラー画像ＦＣを透過し、モノクロ画像ＦＭに到達する前に反射フィルム２３に反射される。なお、第２の波長の光Ｒ２は、僅かに反射フィルム２３を透過しても良い。このため、第２の画像データＤ２は、モノクロ画像ＦＭが消失又は薄く表示された画像である。図６は、薄く表示された顔写真１５を破線で示す。
【００６５】
このように、ＩＤカード１０Ａが真正品である場合、第１の画像データＤ１と第２の画像データＤ２とは、例えば濃度において異なる。なお、第１の画像データＤ１と第２の画像データＤ２とが、文字及び画像の形状のような他の点で異なっても良い。
【００６６】
比較部５８は、第１の画像データＤ１と第２の画像データＤ２との一致度を算出する。当該一致度は、例えば、第１の画像データＤ１及び第２の画像データＤ２に含まれる情報の位置、形状、及び色彩（例えば濃度）の比較結果によって算出される。なお、比較部５８における第１の画像データＤ１と第２の画像データＤ２との比較はこれに限らない。
【００６７】
図５に示すように、比較部５８は、第１の画像データＤ１と第２の画像データＤ２との一致度が閾値を下回る場合（ステップＳ１７：ＮＯ）、検査対象であるＩＤカード１０Ａが真正品であると判定する（ステップＳ１８）。一方、比較部５８は、当該一致度が閾値を上回る場合（ステップＳ１７：ＹＥＳ）、検査対象であるＩＤカード１０Ａが偽変造品であると判定する（ステップＳ１９）。
【００６８】
出力制御部５９は、比較部５８の判定結果を、出力部６１に表示する（ステップＳ２０）。出力制御部５９は、例えば、ディスプレイである出力部６１に判定結果を表示したり、スピーカである出力部６１に判定結果を音声出力させたりする。出力部６１はこれに限らず、表示灯のような他の表示装置によって判定結果を出力しても良いし、判定結果によって種々の動作を行う他の機器に判定結果に係る電気信号を出力しても良い。さらに、出力制御部５９は、第１の画像データＤ１と第２の画像データＤ２とを、出力部６１に出力する。
【００６９】
上述の説明において、比較部５８が第１の画像データＤ１と第２の画像データＤ２との比較を行ったが、例えば検査員が第１の画像データＤ１と第２の画像データＤ２との比較を行っても良い。例えば、制御部５１は、撮像装置５３から取得した第１の画像データＤ１と第２の画像データＤ２とを、ディスプレイである出力部６１に出力する。前記検査員は第１の画像データＤ１と第２の画像データＤ２とを見比べ、ＩＤカード１０Ａが真正品であるかを判断する。
【００７０】
以下、参考として、偽変造品であるＩＤカード１０Ｂを検査する場合について説明する。図７は、本実施形態の比較例として示す偽変造品であるＩＤカード１０Ｂの断面図である。ＩＤカード１０Ｂは、基材２１と、モノクロ画像ＦＭと、カラー画像ＦＣとを有する。
【００７１】
ＩＤカード１０Ｂにおいて、基材２１の第２の面２１ｂが、ＩＤカード１０Ｂの表面１１を形成する。モノクロ画像ＦＭは、基材２１の第２の面２１ｂに、例えばインクジェット方式によって形成される。すなわち、ＩＤカード１０Ｂのモノクロ画像ＦＭは、インクによって形成される。なお、ＩＤカード１０Ｂのモノクロ画像ＦＭはこれに限らない。
【００７２】
カラー画像ＦＣは、例えば、真正品であるＩＤカード１０Ａと同じく、インクジェット方式によって形成される。カラー画像ＦＣは、モノクロ画像ＦＭに重ねられ、又は基材２１の第１の面２１ａに直接、形成される。
【００７３】
図８は、モノクロ画像ＦＭがプロセスカラーインクによって形成された場合の、撮像装置５３が撮影したＩＤカード１０Ｂの画像のデータを示す図である。図８を参照して、ＩＤカード１０Ｂのモノクロ画像ＦＭがプロセスカラーインクによって形成される場合における、第１及び第２の画像データＤ１，Ｄ２の比較について説明する。
【００７４】
上述のように、カラー画像ＦＣを形成するプロセスカラーインクは、赤外帯域の光である第１の波長の光Ｒ１及び第２の波長の光Ｒ２を透過する。このため、プロセスカラーインクによって形成されるモノクロ画像ＦＭとカラー画像ＦＣとは、第１の波長の光Ｒ１と、第２の波長の光Ｒ２とを透過する。
【００７５】
ＩＤカード１０Ｂの検査において、第１のバンドパスフィルタ５４が取り付けられた撮像装置５３は、ＩＤカード１０Ｂを撮影する（ステップＳ１３）。図８に示すように、第１の波長の光Ｒ１がモノクロ画像ＦＭ及びカラー画像ＦＣを透過するため、撮像装置５３が撮影した第１の画像データＤ１において、モノクロ画像ＦＭは消失し、又は薄く表示される。
【００７６】
さらに、第２のバンドパスフィルタ５５が取り付けられた撮像装置５３は、ＩＤカード１０Ｂを撮影する（ステップＳ１６）。図８に示すように、第２の波長の光Ｒ２がモノクロ画像ＦＭ及びカラー画像ＦＣを透過するため、撮像装置５３が撮影した第２の画像データＤ２において、モノクロ画像ＦＭは消失し、又は薄く表示される。
【００７７】
このように、ＩＤカード１０Ｂが偽造品である場合、第１の画像データＤ１と第２の画像データＤ２とは、ほぼ一致する。この場合、比較部５８は、第１の画像データＤ１と第２の画像データＤ２との一致度が閾値を上回るとして（ステップＳ１７：ＹＥＳ）、ＩＤカード１０Ｂが偽変造品であると判定する（ステップＳ１９）。
【００７８】
図９は、モノクロ画像ＦＭがカーボンブラックを含むインク（以下、カーボンインクと称する）によって形成された場合の、撮像装置５３が撮影したＩＤカード１０Ｂの画像のデータを示す図である。図９を参照して、ＩＤカード１０Ｂのモノクロ画像ＦＭがカーボンインクによって形成される場合における、第１及び第２の画像データＤ１，Ｄ２の比較について説明する。
【００７９】
カーボンインクは、赤外帯域の光である第１の波長の光Ｒ１及び第２の波長の光Ｒ２を吸収する。このため、カーボンインクによって形成されるモノクロ画像ＦＭは、第１の波長の光Ｒ１と、第２の波長の光Ｒ２とを吸収する。
【００８０】
ＩＤカード１０Ｂの検査において、第１のバンドパスフィルタ５４が取り付けられた撮像装置５３は、ＩＤカード１０Ｂを撮影する（ステップＳ１３）。図９に示すように、第１の波長の光Ｒ１がモノクロ画像ＦＭに吸収されるため、撮像装置５３が撮影した第１の画像データＤ１において、モノクロ画像ＦＭが表示される。なお、第１の画像データＤ１において、モノクロ画像ＦＭが薄く表示されても良い。
【００８１】
さらに、第２のバンドパスフィルタ５５が取り付けられた撮像装置５３は、ＩＤカード１０Ｂを撮影する（ステップＳ１６）。図８に示すように、第２の波長の光Ｒ２がモノクロ画像ＦＭに吸収されるため、撮像装置５３が撮影した第２の画像データＤ２において、モノクロ画像ＦＭが表示される。なお、第２の画像データＤ２において、モノクロ画像ＦＭが薄く表示されても良い。
【００８２】
このように、ＩＤカード１０Ｂが偽造品である場合、第１の画像データＤ１と第２の画像データＤ２とは、ほぼ一致する。この場合、比較部５８は、第１の画像データＤ１と第２の画像データＤ２との一致度が閾値を上回るとして（ステップＳ１７：ＹＥＳ）、ＩＤカード１０Ｂが偽変造品であると判定する（ステップＳ１９）。
【００８３】
第１の実施の形態に係るＩＤカード１０Ａにおいて、第１の波長の光Ｒ１を受光してＩＤカード１０Ａを撮影することで、モノクロ画像ＦＭを含むＩＤカード１０Ａの第１の画像データＤ１が撮影される。一方、第２の波長の光Ｒ２は反射フィルム２３に反射される。このため、第２の波長の光Ｒ２を受光して撮影したＩＤカード１０Ａの第２の画像データＤ２は、第１の画像データＤ１と異なる。出力部６１は、第１及び第２の画像データＤ１，Ｄ２の比較結果と、第１及び第２の画像データＤ１，Ｄ２との少なくとも一方を出力する。これにより、ＩＤカード１０Ａが反射フィルム２３を含み、且つ第１の波長の光Ｒ１を吸収するモノクロ画像ＦＭを有する真正品か否かを容易に検査できる。例えば、比較部５８が第１の画像データＤ１と第２の画像データＤ２とを容易に比較でき、検査員は出力部６１に出力された比較結果により、ＩＤカード１０Ａ，１０Ｂの真偽を判断できる。また、検査員は、出力部６１に出力された第１の画像データＤ１と第２の画像データＤ２とから、容易にＩＤカード１０Ａ，１０Ｂの真偽を判断できる。
【００８４】
反射フィルム２３は、発色層２２にレーザエングレービング方式による画像形成が可能な波長１０６４ｎｍのレーザ光を透過する。これにより、反射フィルム２３が設けられた状態で、レーザエングレービング方式によりＩＤカード１０Ａにモノクロ画像ＦＭを記録できる。
【００８５】
モノクロ画像ＦＭは、レーザエングレービング方式によって形成される。これにより、例えば溶剤によってモノクロ画像ＦＭが除去されることが抑制され、モノクロ画像ＦＭを除去することによるＩＤカード１０Ａの偽変造を抑制できる。
【００８６】
モノクロ画像ＦＭとカラー画像ＦＣとは、組み合わされて情報１２を形成する。これにより、主に黒色の画像を形成するレーザエングレービング方式によって情報１２の一部（モノクロ画像ＦＭ）が形成されたとしても、カラー画像ＦＣによってカラーの情報１２が形成される。
【００８７】
カラー画像ＦＣは、第１の波長の光Ｒ１を透過する。このため、第１の波長の光Ｒ１を受光して撮影したＩＤカード１０Ａの第１の画像データＤ１は、カラー画像ＦＣが消失し又は薄くなる一方、モノクロ画像ＦＭが表示される。これにより、ＩＤカード１０Ａが真正品か否かをさらに容易に検査できる。
【００８８】
反射フィルム２３は、カラー画像ＦＣと発色層２２との間に位置する。このため、反射フィルム２３が剥がされた場合、ＩＤカード１０Ａからカラー画像ＦＣが消失する。さらに、反射フィルム２３にカラー画像ＦＣが残る。このため、例えば顔写真１５の偽造が困難となり、反射フィルム２３、又は基材２１及び発色層２２を再利用することによる偽造を抑制できる。
【００８９】
本実施形態の検査装置５０は、ＣＰＵなどの制御装置と、ＲＯＭ（Ｒｅａｄ  Ｏｎｌｙ  Ｍｅｍｏｒｒｙ）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００９０】
本実施形態の検査装置５０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００９１】
また、本実施形態の検査装置５０で実行されるプログラムを、インターネット等のネットワークに接続されたコンピュータ上に格納し、ネットワーク経由でダウンロードさせることにより提供するように構成しても良い。また、本実施形態の検査装置５０で実行されるプログラムをインターネット等のネットワーク経由で提供又は配布するように構成しても良い。
【００９２】
また、本実施形態のプログラムを、ＲＯＭ等に予め組み込んで提供するように構成しても良い。
【００９３】
本実施形態の検査装置５０で実行されるプログラムは、上述した各部（制御部５１、記憶部５７、及び比較部５８）を含むモジュール構成となっており、実際のハードウェアとしてはＣＰＵ（プロセッサ）が上記記憶媒体からプログラムを読み出して実行することにより上記各部が主記憶装置上にロードされ、制御部５１、記憶部５７、及び比較部５８が主記憶装置上に生成されるようになっている。
【００９４】
以下に、第２の実施の形態について、図１０を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００９５】
図１０は、第２の実施の形態に係るＩＤカード１０Ａが真正品である場合の、撮像装置５３が撮影したＩＤカード１０Ａの画像のデータを示す図である。第２の実施形態において、顔写真１５は、カラー画像ＦＣのみによって形成される。文字情報１６は、モノクロ画像ＦＭのみによって形成される。
【００９６】
第２の実施形態のカラー画像ＦＣは、プロセスカラーインク及びカーボンインクによって形成され、Ｃ、Ｍ、Ｙ、及びＫ成分を含む。例えば、顔写真１５を形成するカラー画像ＦＣのＣ、Ｍ、及びＹ成分は、プロセスカラーインクによって形成され、第１の波長の光Ｒ１及び第２の波長の光Ｒ２を透過させる。顔写真１５を形成するカラー画像ＦＣのＫ成分は、カーボンインクによって形成され、第１の波長の光Ｒ１及び第２の波長の光Ｒ２を吸収する。
【００９７】
図５に示すように、第２の実施形態のＩＤカード１０Ａの検査において、光源５２の発する光がＩＤカード１０Ａに照射される（ステップＳ１２，Ｓ１５）。第１の波長の光Ｒ１は、モノクロ画像ＦＭ（文字情報１６）と、顔写真１５を形成するカラー画像ＦＣのカーボンインクと、に吸収される。一方、第２の波長の光Ｒ２は、反射フィルム２３に反射されるが、顔写真１５を形成するカラー画像ＦＣのカーボンインクに吸収される。
【００９８】
第１のバンドパスフィルタ５４が取り付けられた撮像装置５３は、ＩＤカード１０Ａを撮影する（ステップＳ１３）。図１０に示すように、撮像装置５３が撮影した第１の画像データＤ１において、モノクロ画像ＦＭ（文字情報１６）と、顔写真１５を形成するカラー画像ＦＣの一部（Ｋ成分）と、が表示される。
【００９９】
さらに、第２のバンドパスフィルタ５５が取り付けられた撮像装置５３は、ＩＤカード１０Ａを撮影する（ステップＳ１６）。撮像装置５３が撮影した第２の画像データＤ２において、顔写真１５を形成するカラー画像ＦＣの一部（Ｋ成分）が表示される。モノクロ画像ＦＭ（文字情報１６）は、反射フィルム２３に覆われるため、消失し、又は薄く表示される。
【０１００】
このように、ＩＤカード１０Ａが真正品である場合、第１の画像データＤ１と第２の画像データＤ２との顔写真１５は、ほぼ一致する。一方、第１の画像データＤ１と第２の画像データＤ２との文字情報１６（モノクロ画像ＦＭ）は異なる。
【０１０１】
比較部５８は、第２の実施形態のＩＤカード１０Ａを判定する場合、第１の画像データＤ１と第２の画像データＤ２との文字情報１６を比較する（ステップＳ１７）。比較部５８は、第１の画像データＤ１と第２の画像データＤ２との文字情報１６の一致度が閾値を下回る場合（ステップＳ１７：ＮＯ）、ＩＤカード１０Ａが真正品であると判定する（ステップＳ１８）。
【０１０２】
第２の実施形態のＩＤカード１０Ａにおいて、カラー画像ＦＣの一部は、第１の波長の光Ｒ１と第２の波長の光Ｒ２とを吸収する。このため、第２の波長の光Ｒ２を受光して撮影したＩＤカード１０の第２の画像データＤ２において、カラー画像ＦＣの一部（Ｋ成分）が映り、カラー画像ＦＣの他の一部（Ｃ、Ｍ、及びＹ成分）は消失し又は薄くなる。このように、カラー画像ＦＣが複雑化することで、ＩＤカード１０Ａが真正品か否かをさらに容易に検査できる。
【０１０３】
以下に、第３の実施の形態について、図１１を参照して説明する。図１１は、第３の実施の形態に係るＩＤカード１０Ａの検査装置５０を概略的に示す図である。図１１に示すように、第３の実施形態のＩＤカード１０Ａにおいて、反射フィルム２３は、情報１２を覆う。
【０１０４】
第３の実施形態において、カラー画像ＦＣは、モノクロ画像ＦＭに重ねられ、発色層２２に形成される。反射フィルム２３は、カラー画像ＦＣが形成された発色層２２を覆う。すなわち、カラー画像ＦＣは、発色層２２と反射フィルム２３との間に位置する。
【０１０５】
ＩＤカード１０Ａの検査において、光源５２の発する光がＩＤカード１０Ａに照射される（ステップＳ１２，Ｓ１５）。第１の波長の光Ｒ１は、反射フィルム２３及びカラー画像ＦＣを透過し、モノクロ画像ＦＭに吸収される。一方、第２の波長の光Ｒ２は、反射フィルム２３に反射される。
【０１０６】
第１のバンドパスフィルタ５４が取り付けられた撮像装置５３は、ＩＤカード１０Ａを撮影する（ステップＳ１３）。撮像装置５３が撮影した第１の画像データＤ１は、第１の実施形態と同様に、モノクロ画像ＦＭを表示する。
【０１０７】
さらに、第２のバンドパスフィルタ５５が取り付けられた撮像装置５３は、ＩＤカード１０Ａを撮影する（ステップＳ１６）。撮像装置５３が撮影した第２の画像データＤ２は、第１の実施形態と同様に、モノクロ画像ＦＭが消失、又は薄く表示された画像である。
【０１０８】
このように、ＩＤカード１０Ａが真正品である場合、第１の実施形態と同様に、第１の画像データＤ１と第２の画像データＤ２とは、例えば濃度において異なる。したがって、ＩＤカード１０Ａが真正品か否かを容易に検査できる。
【０１０９】
以上説明したように、反射フィルム２３は、第１の実施形態のようにカラー画像ＦＣと発色層２２との間にあっても良い。また、反射フィルム２３は、第３の実施形態のようにカラー画像ＦＣを覆っても良い。
【０１１０】
以上説明した少なくとも一つの実施形態によれば、情報記録媒体に光を照射し、第１の波長の光を受光して前記情報記録媒体を撮影し、前記情報記録媒体の第２の層に反射又は吸収される第２の波長の光を受光して前記情報記録媒体を撮影する。これにより、情報記録媒体を容易に検査できる。
【０１１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１２】
例えば、モノクロ画像ＦＭは、レーザエングレービング方式で形成された情報に限らない。例えば、モノクロ画像ＦＭは、カーボンインクを用いたインクジェット方式によって形成されても良い。
【０１１３】
さらに、上記実施形態において、撮像装置５３は、第１の波長の光Ｒ１を受光して撮影をした後に、第２の波長の光Ｒ２を受光して撮影をする。しかし、これに限らず、撮像装置５３が、第２の波長の光Ｒ２を受光して撮影をした後に、第１の波長の光Ｒ１を受光して撮影しても良い。
【０１１４】
加えて、上記実施形態において、反射フィルム２３は可視光を透過する。しかし、これに限らず、反射フィルム２３は、可視光を反射しても良い。これにより、ＩＤカード１０Ａの判定に用いるモノクロ画像ＦＭが隠れ、当該モノクロ画像ＦＭを用いた真偽判定が行われることを察知され難くなる。
【符号の説明】
【０１１５】
１０Ａ…ＩＤカード、２２…発色層、２３…反射フィルム、５２…光源、ＦＭ…モノクロ画像、ＦＣ…カラー画像、Ｒ１…第１の波長の光、Ｒ２…第２の波長の光。
【図１】
2015176614.tif 000003
【図２】
2015176614.tif 000004
【図３】
2015176614.tif 000005
【図４】
2015176614.tif 000006
【図５】
2015176614.tif 000007
【図６】
2015176614.tif 000008
【図７】
2015176614.tif 000009
【図８】
2015176614.tif 000010
【図９】
2015176614.tif 000011
【図１０】
2015176614.tif 000012
【図１１】
2015176614.tif 000013